(57)【要約】【課題】従来のゴミステーション用ゴミ収容具は、大量のゴミを収容するには、大容量の枠体を必要とするため、少量のゴミにも大容量の占有面積を有するという問題や、ネットを被せる手段を取っているものは、学習したカラスにより、ネットをめくり上げられ、ゴミを荒らされる被害が発生していた。【解決手段】折畳み状態から、水平に引き広げると多角形の形状でゴミを囲い込む、囲い部材の上端に沿って密着接続された、防護幕が、囲い部材の上部全面をテント状に覆い隠す形状を成し、ゴミ投入口と収集作業を容易とする、着脱手段を設けたことを特徴とする折畳式ゴミ収容具。【選択図】図１
2018002429.tif 000002
【特許請求の範囲】
【請求項１】
折畳み状態から、水平に引き広げると多角形の形状でゴミを囲い込む、囲い部材（１）の上端に沿って密着接続された、防護幕（３）が、囲い部材（１）により囲まれた上部全面をテント状に、覆い隠す構造を特徴とする折畳式ゴミ収容具。
【発明の詳細な説明】
【技術分野】
【０００１】
本発明は、地方自治体や町内会等が指定したゴミ収集場所に設けられる、ゴミ収容具に関する。
【背景技術】
【０００２】
従来、ゴミステーションとも言われるゴミ収集場所に設けられる、折畳式ゴミ収容具としては、特開２０１４−１２５２９６折畳式ゴミステーション、特開２００１−２１４５２０フルオープン式ゴミステーション、特開平８−５８９１３ゴミステーション用集荷体、実用新案登録第３１４６９４６号ゴミ集積所囲い、実用新案登録第３１４０７３９号ネット巻回型鳥害対策用ゴミ集積装置、等が提案されている。
【０００３】
特開２０１４−１２５２９６折畳式ゴミステーション、特開２００１−２１４５２０フルオープン式ゴミステーションでは、大量のゴミを収容するには、大容量の枠体を必要する。
【０００４】
特開平８−５８９１３ゴミステーション用集荷体、実用新案登録第３１４６９４６号ゴミ集積所囲い、実用新案登録第３１４０７３９号ネット巻回型鳥害対策用ゴミ集積装置では、ゴミの量に応じて拡縮できる囲い部材を有するが、ゴミの投入口は上部に限られるため、鳥害対策方法は、ネットを被せる手段を取っている。
【先行技術文献】
【特許文献】
【０００５】
【特許文献１】特開２０１４−１２５２９６  折畳式ゴミステーション
【特許文献２】特開２００１−２１４５２０  フルオープン式ゴミステーション
【０００６】
【特許文献３】特開平８−５８９１３  ゴミステーション用集荷体
【特許文献４】実用新案登録第３１４６９４６号  ゴミ集積所囲い
【特許文献５】実用新案登録第３１４０７３９号ネット巻回型鳥害対策用ゴミ集積装置
【発明の概要】
【発明が解決しようとする課題】
【０００７】
特開２０１４−１２５２９６折畳式ゴミステーション、特開２００１−２１４５２０フルオープン式ゴミステーションでは、大量のゴミを収容するには、大容量の枠体を必要とするため、少量のゴミにも大容量の占有面積を有するという問題が有った。
【０００８】
特開平８−５８９１３ゴミステーション用集荷体、実用新案登録第３１４６９４６号ゴミ集積所囲い、実用新案登録第３１４０７３９号ネット巻回型鳥害対策用ゴミ集積装置では、ゴミの量に応じて拡縮できる囲い部材を有するが、ゴミの投入口は上部に限られるため、鳥害対策方法は、ネットを被せる手段を取っている。
【０００９】
このため、学習したカラスにより、ネットをめくり上げられ、ゴミを荒らされる被害が発生していた。
【課題を解決するための手段】
【００１０】
以上の問題を解決するため、折畳み可能な構造で、水平に引き拡げると多角形の形状でゴミを囲い込む、囲い部材（１）の上端に沿って密着接続された、防護幕（３）を設け、防護幕（３）は、囲い部材（１）により囲われた上部全面をテント状に覆い隠す形状を成しており、テント形状を維持せしめるための、防護幕支持部材(４)が、囲い部材(１)の上部内側より上方向に突き出すように設けられ、前記防護幕(３)の縁取り補強部（５）に挿入されている。
【００１１】
囲い部材（１）を引き拡げると、縁取り補強部（５）と防護幕支持部材(４)の弾性力により、アーチ型のテント状に、防護幕（３）を支持せしめる。
密着接続された、囲い部材(１)と防護幕（３）は、中間部で左右に分割されており、囲い部材（１）に設けた、着脱手段（７）で通常は閉じられているが、外すことにより、密着接続された、囲い部材(１)と防護幕（３）を、共に左右に大きく開放することが可能となっており、この作用により、開放時は、収容されたゴミ袋の取り出しが容易となる。
【００１２】
中間部で左右に分割された防護幕（３）は、防護幕支持部材(４)の可逆性により、押し曲げてゴミ袋の投入口として使用でき、更に、ゴミ投入口は、防護幕（３）に縦のスリット（９）を設けて、複数個所設置可能である。
【発明の効果】
【００１３】
本願発明によれば、折畳み収納された囲い部材（１）の拡縮機能により、ゴミの量に応じて拡げることにより、占有面積を最小限に抑えることが可能となり、更に、鳥害対策となる、防護幕（３）が、囲い部材（１）と一体で侵入を防ぐため、鳥にゴミを荒らされる事も無くなるという効果がある。
【図面の簡単な説明】
【００１４】
【図１】図１は、本願第発明の実施例を示す斜視図である。
【図２】図２は、本願第発明の作用（収納時）を示す斜視図である。
【図３】図３は、本願第発明の作用（使用開始時）を示す斜視図である。
【図４】図４は、本願第発明の作用（全開使用時）を示す斜視図である。
【図５】図５は、本願第発明の作用（収集作業時）を示す斜視図である。
【発明を実施するための形態】
【００１５】
図１に、本願発明の実施例を示す。折畳み可能な構造で、水平に引き拡げると多角形の形状でゴミを囲い込む、板状の囲い部材（１）の上端に沿って密着接続された、防護幕（３）を設け、防護幕（３）は、囲い部材（１）により囲われた上部全面をテント状に覆い隠す形状を成しており、テント形状を維持せしめるための、防護幕支持部材(４)が、囲い部材(１)の上部内側より、上方向に突き出すように設けられ、前記防護幕(３)の縁取り補強部（５）に挿入されている。
【００１６】
囲い部材（１）を引き拡げると、縁取り補強部（５）と防護幕支持部材(４)の弾性力により、アーチ型のテント状に、防護幕（３）を支持せしめる。
密着接続された、囲い部材(１)と防護幕（３）は、中間部で左右に分割されており、囲い部材（１）に設けた、着脱手段（７）で通常は閉じられているが、外すことにより、密着接続された、囲い部材(１)と防護幕（３）を共に左右に大きく開放することが可能となっている。この作用により、開放時は、収容されたゴミ袋の取り出しが容易となる。
【００１７】
中間部で左右に分割された防護幕（３）は、防護幕支持部材(４)の可逆性により、押し曲げてゴミ袋の投入口として使用でき、更に、ゴミ投入口は、防護幕（３）に縦のスリット（９）を設けて、複数個所設置可能である。
【００１８】
防護幕（３）は、空気抵抗を低減させるとともに内部の視認性を得るため、網目（６）構造を有しているが、ビニールシートや、どこからでも、ゴミ投入を可能とする、簾状にすることも可能である。
【００１９】
さらに、風などで浮き上がらないための重りの役割も持つ、囲い部材（１）は、連結部材（１１）で折畳可能な構造に設けられ、連結された、その長さで可能な範囲を囲み、ゴミ袋を収容し、囲み部材（１）の端どうしを着脱可能とする着脱手段（７）を設けた事を特徴とする折畳式ゴミ収容具である。
【００２０】
実施例の囲い部材（１）は、平面形状のため、引き拡げるとサークル状の多角形を成すが、形状や個数を増やすことにより、円形に近くすることが可能となり、さらに背面を平面の板状にしたり、屋根を設け、長方形とすることも可能で、応用が容易に考案可能である。
【００２１】
図２に、本願発明の作用（収納時）を示す。これによれば、囲い部材（１）は連結部材（１１）により、コンパクトに折り畳まれ、囲い部支持部材（２）により倒れないように固定されており、囲い部材（１）に接続された防護幕（３）は、上方向に突き出す形に設けた防護幕支持部材（4）により垂直にまとめられて収納される。
【００２２】
この垂直に立った防護幕（３）を、巻き込むようにし、端を着脱手段（７）に掛けて、収容具を安定させる、収納バンド（１２）により固定される。
【００２３】
図３に、本願発明の作用（使用開始時）を示す。これによれば、収納状態から、収納バンド(１２)を外し、着脱手段(７)である、ハンドルを少し手前に引き、拡げた状態を示しており、防護幕支持部材(４)の可逆性により、防護幕解放部(１０)を押し拡げてゴミ袋の投入口として使用する。
【００２４】
図４に、本願発明の作用（全開使用時）を示す。これによれば、全開時多角形のサークル状に、大容量の収容面積を有しており、ゴミ投入口は、前記防護幕解放部(１０)のほか、防護幕（３）に設けたスリット（９）の複数個所から、投入が可能である。
【００２５】
図５に、本願発明の作用（収集作業時）を示す。これによれば、密着接続された、囲い部材(１)と防護幕（３）は、中間部で左右に分割されており、囲い部材（１）に設けた、着脱手段（７）で通常は閉じられているが、外すことにより、密着接続された、囲い部材(１)と防護幕（３）を共に、左右に大きく開放することが可能となっており、この作用により、開放時は、収容されたゴミ袋の取り出しが容易となる。
【産業上の利用可能性】
【００２６】
ゴミ収集場所に、集められた生ゴミなどを荒らす、カラスなどの鳥害を防ぎ、ゴミ収容作業を効率化し、未使用時にはコンパクトに収納される折畳式ゴミ収容具である。
【符号の説明】
【００２７】
１    囲い部材
２    囲い部支持部材
３    防護幕
４    防護幕支持部材
５    縁取り補強部
６    網目
７    着脱手段
８    囲い解放部
９    スリット
１０  防護幕解放部
１１  連結部材
１２  収納バンド
１３  通行人
１４  ゴミ袋
１５  利用者
１６  ゴミ収集車
１７  ゴミ収集作業員
【図１】
2018002429.tif 000003
【図２】
2018002429.tif 000004
【図３】
2018002429.tif 000005
【図４】
2018002429.tif 000006
【図５】
2018002429.tif 000007